(57)【要約】【課題】屋根へ架台を別途取り付けることなく屋根上機能パネルが設置可能な屋根パネル連結構造を提供する。【解決手段】野地板１の上面に凹凸屋根パネル２が軒方向に複数設けられ、凹凸屋根パネル２の端部が連結される屋根パネル連結部材３が野地板１の上面に設けられる屋根パネル連結構造である。凹凸屋根パネル２は、下方に開口し上方に凸となる凸部２１と上方に開口し上方に凹となる凹部２２とを軒方向に交互に有し、凹凸屋根パネル２の軒方向の端部は、凹部２２の側縦片２３から外側方に連設される横片２５と、横片２５から下方に連設される縦片２６とを備える。屋根パネル連結部材３は、軒方向の両側にそれぞれ上方に開口し凹凸屋根パネル２の縦片２６が挿入される被挿入部３７と、上方より屋根上機能パネル６０の取付部６が取り付けられる被取付部７と、を備える。【選択図】図１
2013174113.tif 000002
【特許請求の範囲】
【請求項１】
野地板の上面に凹凸屋根パネルが軒方向に複数設けられ、前記凹凸屋根パネルの前記端部が連結される屋根パネル連結部材が前記野地板の上面に設けられる屋根パネル連結構造であって、
前記凹凸屋根パネルは、下方に開口し上方に凸となる凸部と上方に開口し上方に凹となる凹部とを軒方向に交互に有し、前記凹凸屋根パネルの軒方向の端部は、前記凹部の側縦片から外側方に連設される横片と、前記横片から下方に連設される縦片とを備え、
前記屋根パネル連結部材は、軒方向の両側にそれぞれ上方に開口し前記凹凸屋根パネルの前記縦片が挿入される被挿入部と、上方より屋根上機能パネルの取付部が取り付けられる被取付部と、を備えることを特徴とする屋根パネル連結構造。
【請求項２】
前記屋根パネルの前記縦片が前記被挿入部に挿入された状態の前記屋根パネル連結部材に着脱自在となる、少なくとも前記屋根パネル連結部材の前記被取付部を覆うカバー部材を備えることを特徴とする請求項１記載の屋根パネル連結構造。
【請求項３】
前記カバー部材が、前記屋根パネル連結部材の上面と軒方向の側面とを覆うものであることを特徴とする請求項２記載の屋根パネル連結構造。
【発明の詳細な説明】
【技術分野】
【０００１】
本発明は、屋根上機能パネルが設置可能な屋根パネル連結構造に関するものである。
【背景技術】
【０００２】
従来、屋根の上面に、例えば太陽光発電パネル等の屋根上機能パネルが設置されるものがあった（例えば特許文献１参照）。
【先行技術文献】
【特許文献】
【０００３】
【特許文献１】特開２０００−１２９８６８号公報
【発明の概要】
【発明が解決しようとする課題】
【０００４】
この特許文献１に示される従来例にあっては、野地板のような下地材に、屋根パネルのような金属製の板材からなる外囲板が敷設されていた。そして、外囲板の上に架台が取り付けられて、その架台にソーラーパネルなどのパネル状構造物が取り付けられていた。
【０００５】
このため、架台の屋根への取り付けが面倒となるだけでなく、架台が別途必要となるものであった。
【０００６】
本発明は上記従来の問題点に鑑みて発明したものであって、その目的とするところは、屋根へ架台を別途取り付ける必要がない屋根パネル連結構造を提供することを課題とするものである。
【課題を解決するための手段】
【０００７】
上記課題を解決するために、本発明は、以下のような構成とする。
【０００８】
野地板の上面に凹凸屋根パネルが軒方向に複数設けられ、前記凹凸屋根パネルの前記端部が連結される屋根パネル連結部材が前記野地板の上面に設けられる屋根パネル連結構造であって、前記凹凸屋根パネルは、下方に開口し上方に凸となる凸部と上方に開口し上方に凹となる凹部とを軒方向に交互に有し、前記凹凸屋根パネルの軒方向の端部は、前記凹部の側縦片から外側方に連設される横片と、前記横片から下方に連設される縦片とを備え、前記屋根パネル連結部材は、軒方向の両側にそれぞれ上方に開口し前記凹凸屋根パネルの前記縦片が挿入される被挿入部と、上方より屋根上機能パネルの取付部が取り付けられる被取付部と、を備えることを特徴とする。
【０００９】
前記屋根パネルの前記縦片が前記被挿入部に挿入された状態の前記屋根パネル連結部材に着脱自在となる、少なくとも前記屋根パネル連結部材の前記被取付部を覆うカバー部材を備えることが好ましい。
【発明の効果】
【００１０】
本発明の屋根パネル連結構造は、架台が別途必要でなく、架台の屋根への取り付けも不要となる。
【図面の簡単な説明】
【００１１】
【図１】本発明の一実施形態の要部断面図である。
【図２】同上において屋根上機能パネルの取付部が取り付けられる場合の要部斜視図である。
【図３】屋根の全体斜視図である。
【図４】同上において屋根上機能パネルが取り付けられない場合の要部断面図である。
【図５】同上において屋根上機能パネルが取り付けられない場合の異なるカバー部材が用いられる場合の要部断面図である。
【図６】屋根パネル連結部材の他の実施形態における場合の要部断面図である。
【図７】同上における要部斜視図である。
【図８】屋根パネル連結部材の更に他の実施形態における場合の要部断面図である。
【図９】同上において屋根上機能パネルの取付部が取り付けられる場合の要部斜視図である。
【発明を実施するための形態】
【００１２】
以下、本発明を添付図面に示す実施形態に基いて説明する。本発明は、図３に示すように、野地板１の上面に屋根パネル２が複数設けられてなる屋根における、屋根パネルの連結構造であって、任意に屋根上機能パネル６０を取り付け可能とするものである。
【００１３】
野地板１は、ボルトや釘が打ち込み可能な材質（主に木材）からなるもので、本実施形態では、軒棟方向に単調に傾斜して配置されている。
【００１４】
屋根パネル２は、図１、図２に示すように、金属製の板材からなるもので、本実施形態ではガルバニウム鋼板が屈曲されて構成される。本実施形態の屋根パネル２は、図２に示すように、下方に開口し上方に凸となる凸部２１と、上方に開口し上方に凹となる凹部２２と、が軒方向に交互に形成される凹凸屋根パネルである。この屋根パネル２は、凹部２２の底部が野地板１上に載置されて、図示しないが、底部を貫通して釘等の固着具が野地板１に打ち込まれたり、底部に形成された固着具挿通孔を介して、釘やボルト等の固着具が野地板１に固定される。
【００１５】
この屋根パネル２は、軒方向に複数設けられるもので、隣接する屋根パネル２の互いに隣接する側の端部に対応する野地板１上の箇所に、屋根パネル連結部材３が設けられる。
【００１６】
屋根パネル連結部材３は、図１、図２に示すように、軒棟方向を長手方向とし、軒方向の両側に位置する屋根パネル２の端部が連結されるもので、その軒棟方向の長さが屋根パネル２の軒棟方向の長さと略同じに形成される。本実施形態では、屋根パネル連結部材３は、底片３１と側片３２と中片３３とで構成され、同一断面（但し、後述する大径部挿通部の箇所を除く）の長尺材からなる。
【００１７】
底片３１は、野地板１に取り付けられる略平板状をした部分である。側片３２は、底片３１の軒方向の両側からそれぞれ上向きに設けられる。側片３２は、途中で屋根パネル連結部材３の軒方向の中央側に屈曲して、底片３１と平行で平坦となる上面を有し、その中央側の端部から下方へ垂下片３４が設けられている。また、上面の軒方向両端部には、面取り部３２ａが形成されている。中片３３は、底片３１または両側片３２から（本実施形態では両側片３２から）軒方向の二箇所の上方に向けて設けられる。中片３３の上端は、外側方に屈曲して、横突出部３５が形成されている。
【００１８】
底片３１が野地板１上に載置され、底片３１に形成された固着具挿通孔を介して、ボルト等からなる固着具３６が野地板１に固定される。これにより、屋根パネル連結部材３が野地板１に固定される。
【００１９】
また、屋根パネル連結部材３の野地板１からの高さは、屋根パネル２の凸部２１の野地板１からの高さと略同じとなるように形成される。これにより、屋根パネル連結部材３が、凸部２１よりも上方に出っ張ったり引っ込んでいたりする場合に生じる不連続感・違和感を抑えることができる。
【００２０】
屋根パネル２の軒方向の端部には、図４に示すように、屋根パネル連結部材３に連結される連結部２４が設けられている。連結部２４は、凹部２２の側縦片２３の上端部から外側方に連設される横片２５と、前記横片２５から下方に連設される縦片２６とで構成される。縦片２６の下端には、内側に向けて引っ掛け片２７が設けられている。引っ掛け片２７の内側端部には、下方へ行く程外側に位置するように傾斜する挿入ガイド部２８が下方へ向けて設けられている。また、側縦片２３の下端部には、外側に凹む引っ掛かり凹部２９が形成されている。
【００２１】
屋根パネル連結部材３には、屋根パネル２の連結部２４が連結される被連結部が設けられている。本実施形態では、図１に示すように、中片３３とその両側の側片３２との間の上方に開口する隙間であって、屋根パネル２の縦片２６が挿入される被挿入部３７により、被連結部が構成される。
【００２２】
屋根パネル２の屋根パネル連結部材３への取り付けについて説明する。屋根パネル２は、連結部２４の縦片２６が、屋根パネル連結部材３の被挿入部３７へ上方より挿入される。この時、屋根パネル２の挿入ガイド部２８が、屋根パネル連結部材３の側片３２（面取り部３２ａ）に当接して連結部２４が弾性変形し、挿入ガイド部２８が垂下片３４の側方の被挿入部３７にスムーズに挿入される。そして、引っ掛け片２７が屋根パネル連結部材３の垂下片３４を下方へ乗り越えると、連結部２４が弾性変形した状態から戻り、引っ掛け片２７が垂下片３４の下側に位置する。これにより、屋根パネル２が上方へ抜け止めされた状態となり、屋根パネル連結部材３への取り付けがなされる。
【００２３】
上記のように、屋根パネル連結部材３の軒棟方向の長さが、屋根パネル２の軒棟方向の長さと略同じに形成されることで、軒棟方向に複数の屋根パネル連結部材３が設けられる必要がなくなる。これにより、屋根パネル連結部材３の野地板１への取り付け、および、屋根パネル２の屋根パネル連結部材３への取り付けが容易となるものである。
【００２４】
更に本実施形態では、屋根パネル２の連結部２４の上方への抜け止めをより一層確実にするため、抜け止め部材４が設けられる。抜け止め部材４は、屋根パネル連結部材３の中片３３に装着されて、中片３３と側片３２との間の被挿入部３７を狭めるものである。本実施形態では、抜け止め部材４は、図１に示すように、両中片３３の上端部に跨るように配置される架設部４１と、架設部４１の軒方向の両端から下方に突出する閉塞部４２と、閉塞部４２の下端から内側に突出し、横突出部３５の下面に引っ掛かる引っ掛かり部４３とを備える。引っ掛かり部４３の内側端部には、下方へ行く程中央側に傾斜するガイド部４４が設けられている。この抜け止め部材４は、屋根パネル連結部材３の長手方向に部分的に一つまたは複数設けられる。
【００２５】
この抜け止め部材４は、図４に示すように、屋根パネル２が屋根パネル連結部材３に取り付けられた状態で、両閉塞部４２がそれぞれ屋根パネル連結部材３の被挿入部３７へ上方より挿入される。この時、ガイド部４４が、中片３３の横突出部３５に当接して閉塞部４２が弾性変形し、引っ掛かり部４３が横突出部３５の側方の被挿入部３７にスムーズに挿入される。そして、引っ掛かり部４３が横突出部３５を下方へ乗り越えると、閉塞部４２が弾性変形した状態から戻り、引っ掛かり部４３が横突出部３５の下側に位置する。これにより、抜け止め部材４が上方へ抜け止めされた状態となり、屋根パネル連結部材３への取り付けがなされる。
【００２６】
抜け止め部材４が屋根パネル連結部材３に取り付けられた状態では、その閉塞部４２が被挿入部３７の空き空間を閉塞する。これにより、屋根パネル２の引っ掛け片２７が垂下片３４から離れる方向へ移動しようとしても、閉塞部４２に当接して移動が阻止され、引っ掛け片２７の垂下片３４への引っ掛かりが外れるのが抑えられる。これにより、屋根パネル２の連結部２４の上方への抜け止めがより一層確実になされる。
【００２７】
また本実施形態では、屋根パネル連結部材３には、屋根上機能パネル６０が取り付けられる被取付部７が設けられる。屋根上機能パネル６０は、例えば太陽光発電パネルや、太陽光温水生成パネル等、屋根上に設置されるもので、他の用途であってもよく特に限定はされない。
【００２８】
屋根上機能パネル６０は、本実施形態では、太陽光発電素子を備えたパネル本体と、パネル本体を収納するフレームまたはケーシングからなる収納体と、屋根パネル連結部材３への取付部６と、を備える太陽光発電パネルである。なお、太陽光発電パネルは多くの製品が広く知られており、構成は前記に限定されるものではなく、様々な太陽光発電パネルが適宜利用可能である。
【００２９】
取付部６は、図１に示すように、屋根パネル連結部材３の被取付部７に取り付けられるもので、本実施形態では、小径部６１と、小径部６１の下部に設けられ小径部６１よりも径の大きい大径部６２と、を備えている。小径部６１はボルトからなるもので、このボルトは、頭部を備えるか、頭部を備えない場合にはナットが螺じ込まれる。これにより、ボルトの本体からなる小径部６１と、頭部またはナットからなる大径部６２とが構成される。
【００３０】
これに対し、被取付部７は、小径部６１の径よりも幅が広くて大径部６２の径よりも幅が狭く上下に貫通する開口となる小幅部７１と、小幅部７１の下側に形成され、大径部６２の径よりも幅が広い凹所となる大幅部７２と、を備えている。本実施形態では、両中片３３の上部の間の隙間が小幅部７１となり、両中片３３の下部の間の隙間が大幅部７２となり、両中片３３の上部と下部の間に段差部３８が形成され、段差部３８の下面が大径部６２の当接面となる。また、小幅部７１には、軒棟方向（すなわち屋根パネル連結部材３の長手方向）に部分的に、大径部６２の径よりも幅が広い大径部挿通部が形成されている。
【００３１】
屋根上機能パネル６０の屋根パネル連結部材３への取り付けについて説明する。屋根上機能パネル６０は、その取付部６の大径部６２が上方より大径部挿通部を挿通して下方の大幅部７２へ移動される。そして、屋根上機能パネル６０が軒棟方向に移動され、小径部６１が大径部挿通部のない小幅部７１へと移動される。小幅部７１となるボルトには、予め締結用のナット６３が螺じ込まれている。この締結用のナット６３が螺じ込まれて、中片３３の上面に当接するとともに大径部６２の上面が段差部３８の下面に当接し、大径部６２と締結用のナット６３とで中片３３の上部および段差部３８を挟持する状態となり、取付部６が被取付部７に固定されるものである。なお、図１中の符号６４はワッシャを示す。
【００３２】
これにより、屋根上機能パネル６０を屋根に取り付ける場合に、屋根パネル連結部材３が架台を兼用することになり、別途架台を屋根に取り付ける必要がなく、架台が不要で取り付け作業も不要となる。また、屋根パネル連結部材に直接取り付けられて、屋根に近い高さで取り付け可能となって、別体感が抑えられ、見栄えもよくなる。
【００３３】
また本実施形態の屋根パネル２連結構造は、屋根パネル２が取り付けられた屋根パネル連結部材３を覆うカバー部材５を備えている。カバー部材５は、軒棟方向を長手方向とするもので、本実施形態では、図４に示すように、側覆い片５１と上覆い片５２とで構成され、同一断面の長尺材からなる。
【００３４】
側覆い片５１は、屋根パネル２の連結部２４となる側縦片２３の外側（すなわち凹部２２の内側）に沿うもので、その下端部には、側縦片２３の引っ掛かり凹部２９に引っ掛かる引っ掛かり凸部５３が内側に向けて設けられる。引っ掛かり凸部５３の下面は、下方へ行く程外側に位置するように傾斜するガイド部５４が設けられている。両側の側覆い片５１の上端部間に、上覆い片５２が架設される。また、側縦片２３の引っ掛かり凸部５３の背面側は、凹所５５が形成される。
【００３５】
このカバー部材５は、屋根パネル２が屋根パネル連結部材３に取り付けられた状態で、両側覆い片５１がそれぞれ屋根パネル２の側縦片２３の外側に位置するように上方より被せられる。この時、ガイド部５４が、屋根パネル２の側縦片２３の上端部に当接して側縦片２３が弾性変形し、引っ掛かり凸部５３が側縦片２３の側方を伝って下方へ移動する。そして、引っ掛かり凸部５３が側縦片２３を下方へ乗り越えると、側縦片２３が弾性変形した状態から戻り、引っ掛かり凸部５３が引っ掛かり凹部２９に位置する。これにより、カバー部材５が上方へ抜け止めされた状態となり、屋根パネル連結部材３への取り付けがなされる。
【００３６】
このカバー部材５は、屋根パネル連結部材３に後述する屋根上機能パネル６０が取り付けられない場合には、その軒棟方向の長さが屋根パネル２の軒棟方向の長さと略同じに形成されているものが取り付けられる。
【００３７】
このカバー部材５により、固着具３６が挿通されている固着具挿通孔の防水を行うことが可能となる。すなわち、屋根パネル連結部材３の中片３３の間には屋根パネル２が位置しておらず、雨水等が固着具挿通孔より野地板１に浸透する惧れがあるところ、カバー部材５により雨水等の浸透が抑えられる。
【００３８】
また、このようなカバー部材５が設けられることで、カバー部材５が装着された屋根パネル連結部材３が、屋根パネル２の交互に連続する凹凸のうちの一つの凸部２１ように見えて、屋根パネル２との連続感、一体感がでる。
【００３９】
また、図５に示すようなカバー部材５が設けられてもよい。このカバー部材５は、上記抜け止め部材４と同じ断面形状で、その軒棟方向の長さが屋根パネル２の軒棟方向の長さと略同じに形成されるものである。これにより、カバー部材５が抜け止め部材４を兼ねることができる。
【００４０】
また、カバー部材５は、軒棟方向に、屋根上機能パネル６０の取付部６を避けて設けられる。この場合のカバー部材５の軒棟方向の長さは、屋根パネル２の軒棟方向の長さよりも短く、一つの屋根パネル連結部材３に複数のカバー部材５が取り付けられる。そうすると、カバー部材５は、屋根パネル連結部材３の軒棟方向において連続せず、屋根上機能パネル６０の取付部６の部分に隙間が形成されてしまうため、この隙間を閉塞する隙間カバー部材が設けられる。
【００４１】
隙間カバー部材は、図示しないが、カバー部材５の外側に沿うように取り付けられるものである。このため、隙間カバー部材はカバー部材５より若干大きく形成されるが、軒棟方向に垂直な断面形状はカバー部材５と略同じであり、側覆い片と、上覆い片と、引っ掛かり凸部とそのガイド部とを備えている。これらの構成は殆どの部分においてカバー部材５の構成と同様であるため説明は省略し、異なる部分について説明すると、上覆い片に、屋根上機能パネル６０の取付部６が挿通可能な挿通開口が形成されるものである。
【００４２】
このような隙間カバー部材が設けられることで、屋根パネル連結部材３の中片３３の間を介して、雨水等が固着具挿通孔より野地板１に浸透するのが抑えられる。
【００４３】
また、このような隙間カバー部材が設けられることで、カバー部材５が連続して見えて一体感がでる。
【００４４】
屋根パネル連結部材３の他の実施形態について、図６および図７に基づいて説明する。この実施形態においては、屋根パネル連結部材３には、底片３１の中片３３が突出する箇所の外側に野地板取付部３９が設けられている。そして、この野地板取付部３９に固着具挿通孔が形成され、固着具挿通孔を介して固着具３６が野地板１に固定される。これにより、固着具３６が挿通されている固着具挿通孔の防水は屋根パネル２およびカバー部材５により行われ、防水性能が向上する。
【００４５】
また同様に、屋根パネル連結部材３の更に他の実施形態として、図８および図９に示すようなものであってもよい。この場合も同様に、底片３１の中片３３が突出する箇所の外側に野地板取付部３９が設けられている。これにより、固着具３６が挿通されている固着具挿通孔の防水は屋根パネル２およびカバー部材５により行われ、防水性能が向上する。
【符号の説明】
【００４６】
１    野地板
２    屋根パネル
２１  凸部
２２  凹部
２３  側縦片
２４  連結部
２５  横片
２６  縦片
２７  引っ掛け片
３    屋根パネル連結部材
３１  底片
３２  側片
３３  中片
３４  垂下片
３５  横突出部
３６  固着具
３７  被挿入部
３８  段差部
３９  野地板取付部
４    抜け止め部材
４１  架設部
４２  閉塞部
４３  引っ掛かり部
５    カバー部材
５１  側覆い片
５２  上覆い片
５３  引っ掛かり凸部
６    取付部
６０  屋根上機能パネル
６１  小径部
６２  大径部
６３  締結用のナット
７    被取付部
７１  小幅部
７２  大幅部
【図１】
2013174113.tif 000003
【図２】
2013174113.tif 000004
【図３】
2013174113.tif 000005
【図４】
2013174113.tif 000006
【図５】
2013174113.tif 000007
【図６】
2013174113.tif 000008
【図７】
2013174113.tif 000009
【図８】
2013174113.tif 000010
【図９】
2013174113.tif 000011